(57)【要約】【課題】極めて激しい振動を受ける環境で使用して、故障を少なくし、安定して長期間使用する。【解決手段】電源装置は、複数の二次電池１０を、安全弁の開口部を有する封口板１２を上部に位置させる垂直姿勢で横に並べて、隣接する二次電池１０を、外装缶１１と封口板１２に接続しているリード板３０で直列に接続して、ホルダーケース２０に収納している。ホルダーケース２０は、外装缶１１の下に配設されている第１絶縁プレート２１と、封口板１２の上に配設されている第２絶縁プレート２２と、第１絶縁プレート２１と第２絶縁プレート２２が二次電池１０を挟着する状態に連結する連結具２３とを備える。電源装置は、連結具２３が第１絶縁プレート２１と第２絶縁プレート２２を連結して、複数の二次電池１０を第１絶縁プレート２１と第２絶縁プレート２２の間に上下方向に挟着して配設している。【選択図】図２
2006190611.tif 000002
【特許請求の範囲】
【請求項１】
複数の二次電池(10)を、安全弁の開口部を有する封口板(12)を上部に位置させる垂直姿勢で横に並べて、隣接する二次電池(10)を外装缶(11)と封口板(12)に接続しているリード板(30)で直列に接続して、ホルダーケース(20)に収納している電源装置であって、
ホルダーケース(20)が、外装缶(11)の下に配設されて二次電池(10)を上に載せている第１絶縁プレート(21)と、封口板(12)の上に配設されて二次電池(10)を上端から挟着している第２絶縁プレート(22)と、第１絶縁プレート(21)と第２絶縁プレート(22)が二次電池(10)を挟着する状態に連結する連結具(23)とを備え、
連結具(23)が第１絶縁プレート(21)と第２絶縁プレート(22)を連結して、複数の二次電池(10)を第１絶縁プレート(21)と第２絶縁プレート(22)の間に上下方向に挟着して配設してなる電源装置。
【請求項２】
第１絶縁プレート(21)がプラスチック製で、その上面には、二次電池(10)を定位置に嵌着して配置する嵌着凹凸(24)を一体的に成形して設けている請求項１に記載される電源装置。
【請求項３】
第２絶縁プレート(22)がプラスチック製で、その下面には、二次電池(10)を定位置に嵌着して配置する嵌着凹凸(25)を一体的に成形して設けている請求項１に記載される電源装置。
【請求項４】
連結具(23)がネジである請求項１に記載される電源装置。
【請求項５】
リード板(30)が、二次電池(10)の外装缶(11)の上端部の外周に沿う形状の外装缶接続部(31)と、この外装缶接続部(31)から隣接する二次電池(10)の封口板(12)に向かって突出する封口板接続部(32)とからなり、外装缶接続部(31)がリング状である請求項１に記載される電源装置。
【請求項６】
リード板(30)が、二次電池(10)の外装缶(11)の上端部の外周に沿う形状の外装缶接続部(31)と、この外装缶接続部(31)から隣接する二次電池(10)の封口板(12)に向かって突出する封口板接続部(32)とからなり、外装缶接続部(31)が、一部を切除したリング状である請求項１に記載される電源装置。
【請求項７】
リード板(30)が、二次電池(10)の外装缶(11)の上端部の外周に沿う形状の外装缶接続部(31)と、この外装缶接続部(31)から隣接する二次電池(10)の封口板(12)に向かって突出する封口板接続部(32)とからなり、外装缶接続部(31)が外装缶(11)の上端部を挿入する筒状である請求項１に記載される電源装置。
【請求項８】
リード板(30)が、二次電池(10)の外装缶(11)の上端部の外周に沿う形状の外装缶接続部(31)と、この外装缶接続部(31)から隣接する二次電池(10)の封口板(12)に向かって突出する封口板接続部(32)とからなり、封口板接続部(32)が、封口板(12)の凸部電極(13)を挿入する貫通孔(33)を設けている請求項１に記載される電源装置。
【発明の詳細な説明】
【技術分野】
【０００１】
本発明は、複数の二次電池をリード板で直列に連結して、垂直姿勢で横に並べている電源装置に関し、とくに車両に搭載されて走行用のモーターを駆動するのに最適な電源装置に関する。
【背景技術】
【０００２】
複数の二次電池を直列に接続している電源装置は、二次電池をリード板で直列に接続している。従来の車両用の電源装置は、複数の二次電池を直線状に直列接続して電池モジュールとし、さらに、複数の電池モジュールをケースに入れてバスバーで直列に接続している。
【０００３】
この構造の電源装置は、細長い電池モジュールを水平姿勢でケースに収納している。この姿勢の二次電池は、倒れた姿勢でケースに収納されるので、安全弁が開弁するときに、電解液が排出されることがある。電池は、電解液が排出されると、性能が低下して使用できなくなる。この弊害は、全ての電池を、封口板を上に位置する垂直姿勢で収納して解消できる。本出願人は、複数の二次電池をホルダーケースに垂直姿勢で収納するバッテリーパックを開発している。（特許文献１参照）
【特許文献１】特開２００２−１５７１６号公報
【発明の開示】
【発明が解決しようとする課題】
【０００４】
特許文献１に記載されるバッテリーパックは、電動工具の電源用に開発されたものである。このバッテリーパックは、図１に示すように、複数の二次電池１０を垂直姿勢でホルダーケース２０に収納する。隣の二次電池１０は、リード板３０で直列に接続されている。このバッテリーパックは、全ての二次電池１０を上向きとするので、安全弁が開弁するときに電解液が漏れるのを防止できる。また、全ての二次電池１０を同じ向きに配列するので、組み立て時のケアレスミスを防止できる。
【０００５】
ただ、この構造のバッテリーパックは、電動工具には適した構造であっても、車両のように激しい振動を受ける環境で使用されると、リード板が外れる等の弊害が発生しやすい欠点がある。また、車両用の電源装置は、大容量で内部抵抗の小さい二次電池を使用するので、リード板が外れてショートすると、極めて大きなショート電流が流れる欠点がある。
【０００６】
本発明は、このような欠点を解決することを目的に開発されたもので、本発明の重要な目的は、極めて激しい振動を受ける環境で使用して、故障を少なくし、安定して長期間使用できる電源装置を提供することにある。
【課題を解決するための手段】
【０００７】
本発明の電源装置は、前述の目的を達成するために以下の構成を備える。
電源装置は、複数の二次電池１０を、安全弁の開口部を有する封口板１２を上部に位置させる垂直姿勢で横に並べて、隣接する二次電池１０を、外装缶１１と封口板１２に接続しているリード板３０で直列に接続して、ホルダーケース２０に収納している。ホルダーケース２０は、外装缶１１の下に配設されて二次電池１０を上に載せている第１絶縁プレート２１と、封口板１２の上に配設されて二次電池１０を上端から挟着している第２絶縁プレート２２と、第１絶縁プレート２１と第２絶縁プレート２２が二次電池１０を挟着する状態に連結する連結具２３とを備える。電源装置は、連結具２３が第１絶縁プレート２１と第２絶縁プレート２２を連結して、複数の二次電池１０を第１絶縁プレート２１と第２絶縁プレート２２の間に上下方向に挟着して配設している。
【０００８】
本発明の電源装置は、第１絶縁プレート２１をプラスチック製として、その上面に、二次電池１０を定位置に嵌着して配置する嵌着凹凸２４を一体的に成形して設けることができる。また、本発明の電源装置は、第２絶縁プレート２２をプラスチック製として、その下面に、二次電池１０を定位置に嵌着して配置する嵌着凹凸２５を一体的に成形して設けることができる。さらに、本発明の電源装置は、連結具２３をネジとすることができる。
【０００９】
本発明の電源装置は、リード板３０を、二次電池１０の外装缶１１の上端部の外周に沿う形状の外装缶接続部３１と、この外装缶接続部３１から隣接する二次電池１０の封口板１２に向かって突出する封口板接続部３２とで構成することができる。外装缶接続部３１は、リング状とし、あるいは、一部を切除したリング状とすることができる。また、外装缶接続部３１は、外装缶１１の上端部を挿入する筒状とすることができる。封口板接続部３２は、封口板１２の凸部電極１３を挿入する貫通孔３３を設けることができる。
【発明の効果】
【００１０】
本発明の電源装置は、極めて激しい振動を受ける環境で使用しても、故障を少なくし、安定して長期間使用できる特長がある。それは、本発明の電源装置が、複数の二次電池を、安全弁の開口部を有する封口板を上部に位置させる垂直姿勢で横に並べて、隣接する二次電池をリード板で直列に接続してホルダーケースに収納しており、このホルダーケースは、外装缶の下に配設される第１絶縁プレートと、封口板の上に配設される第２絶縁プレートとを連結具で連結する構造として、複数の二次電池を第１絶縁プレートと第２絶縁プレートの間に上下方向に挟着して配設しているからである。この構造の電源装置は、垂直姿勢で並べられた複数の二次電池を第１絶縁プレートと第２絶縁プレートとで上下方向から挟着して固定するので、極めて激しい振動を受ける環境で使用しても、リード板が外れる等の弊害を極減できる。したがって、長期間にわたって、故障を少なくしながら安定して使用できる。
【００１１】
さらに、本発明の電源装置は、安全弁の開口部を有する封口板を上部に位置させる垂直姿勢で二次電池をケースに収納するので、安全弁が開弁するときには、電解液が開口部から排出されるのを防止しながら、二次電池の上部の開口部からガス等を排気できる。このため、安全弁が閉弁後に、電池の性能が低下して使用できなくなる弊害を有効に防止できる。
【発明を実施するための最良の形態】
【００１２】
以下、本発明の実施例を図面に基づいて説明する。ただし、以下に示す実施例は、本発明の技術思想を具体化するための電源装置を例示するものであって、本発明は電源装置を以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図２ないし図７に示す電源装置は、複数の二次電池１０を、安全弁の開口部を有する封口板１２を上部に位置させる垂直姿勢で横に並べて、隣接する二次電池１０を、外装缶１１と封口板１２に接続しているリード板３０で直列に接続して、ホルダーケース２０に収納している。
【００１５】
二次電池１０は、ニッケル−水素電池、リチウムイオン二次電池、ニッケル−カドミウム電池等の円筒型電池である。二次電池１０は、外装缶１１の開口部を封口板１２で閉塞している電池ケースに、セパレータ（図示せず）を介して積層している正負の電極板（図示せず）を入れて、電解液を充填している。外装缶１１と封口板１２は金属板である。外装缶１１は、金属板を底のある筒状にプレス成形して製作される。封口板１２は、中央に凸部電極１３を設けている。さらに、封口板１２は、安全弁の開口部（図示せず）を設けている。封口板１２の内部に内蔵される安全弁は、電池ケースの内圧が設定圧力よりも高くなると開弁して、電池ケースが異常な内圧で破壊されるのを防止する。安全弁が開弁されると、電池ケースの内部からガスが排気されて、内圧を低下させる。通常の使用状態において安全弁は閉弁されており、電池ケースは気密に密閉されている。外装缶１１の内部に収納される一方の電極板は外装缶１１に接続され、他方の電極板は封口板１２に接続される。さらに、外装缶１１は、開口部の端部をかしめ加工して封口板１２を気密に固定している。封口板１２は、ガスケットを介して外装缶１１のかしめ部に挟着されて気密に固定される。ガスケットは、絶縁材のゴム状弾性体で、封口板１２と外装缶１１とを絶縁すると共に、封口板１２と外装缶１１との隙間を気密に閉塞する。外装缶１１は、開口部の端部をかしめて封口板１２を挟着するために、封口板１２を設けている端部に、周囲に沿って溝部を設けている。この二次電池１０は、封口板１２を第１の電極、外装缶１１を第２の電極として、互いに異なる極性としている。ニッケル−水素電池は、第１の電極を正極として第２の電極を負極としている。ただ、二次電池は、第１の電極を負極として第２の電極を正極とすることもできる。
【００１６】
二次電池１０は、封口板１２を上にする垂直姿勢でホルダーケース２０に収納される。この二次電池１０は、安全弁が開弁するとき、封口板１２の開口部からガス等を排気する。安全弁が、電池ケースの上部から排気するので、電極を浸漬するように充填している電解液は排出されない。電池ケースを完全に満たすように電解液を充填しないからである。したがって、電池ケースの内圧が上昇して安全弁が開弁するとき、電池ケースの上部に溜る空気やガスを排気して内圧を低下させる。内圧が低下して安全弁が閉弁されると、電解液を排出しない二次電池１０は、再び充放電できる状態となる。
【００１７】
図の電源装置は、二次電池１０を円筒型電池とするが、角形電池とすることもできる。二次電池１０は、垂直な姿勢として、隣の二次電池１０との間に冷却隙間を設けている。ホルダーケース２０には、図８に示すように一列に並べて二次電池１０を収納し、あるいは図９に示すように複数列に並べ、あるいはまた図１０に示すように、電池間に隣の電池が位置するようにホルダーケース２０に配列される。
【００１８】
二次電池１０は、封口板１２に凸部電極１３を設け、外装缶１１の底面を水平面としている。したがって、二次電池１０は、封口板１２の凸部電極１３を上に、外装缶１１の底を下にする垂直な姿勢でホルダーケース２０に収納される。外装缶１１の底面は水平面であるから、下側のホルダーケース２０である第１絶縁プレート２１の上に載せて、安定して垂直姿勢に立てることができる。
【００１９】
隣接する二次電池１０は、リード板３０で直列に接続される。図２、図４、図５及び図７に示す電源装置のリード板３０を、それぞれ図１１ないし図１４の斜視図に示す。リード板３０は、金属板を裁断した後、図に示す形状にプレス加工して製作される。金属板は、鉄板や銅板等の金属板の表面に、ニッケル、銅、銀、シンチュウ等の金属メッキをしたもの、あるいはニッケル板である。リード板３０は、二次電池１０の外装缶１１の上端部の外周に沿う形状の外装缶接続部３１と、この外装缶接続部３１から隣接する二次電池１０の封口板１２に向かって突出する封口板接続部３２とからなる。
【００２０】
図２と図１１のリード板３０は、外装缶接続部３１をリング状としている。図４と図１２のリード板３０の外装缶接続部３１は、一部を切除したリング状としている。これ等のリード板３０の外装缶接続部３１は、外装缶１１の上端のカシメ凸条１４の外側をカバーするように連結される。これ等の外装缶接続部３１は、外装缶１１の上端縁のカシメ凸条１４の外側に嵌着されるように、弾性変形できる金属板を溝形としている。この外装缶接続部３１は、金属板を弾性変形させて、溝内にカシメ凸条１４を嵌着して、リード板３０の外装缶接続部３１を外装缶１１に電気接続する状態で連結する。このため、この形状の外装缶接続部３１は、外装缶１１に溶接することなく外装缶１１に電気接続できる。ただ、外装缶接続部３１にカシメ凸条１４を入れる状態で、外装缶接続部３１を外装缶１１に溶接してより確実に電気接続することもできる。
【００２１】
図５と図１３に示すリード板３０の外装缶接続部３１は、外装缶１１の上端部を挿入する筒状に金属板をプレス成形している。円筒型電池を挿入する外装缶接続部３１は、円筒状としている。さらに、筒状の外装缶接続部３１は、上端面に内側に突出する鍔部３１Ａを設けている。ただし、図７と図１４の外装缶接続部３１は、一部を切除した円筒状としている。円筒状の外装缶接続部３１は、内径を外装缶１１の外径に等しくして、外装缶１１の表面に密着させ、さらに外装缶１１に溶接して電気接続する状態で連結している。この構造は、溶接してリード板３０を外装缶１１に確実に連結できる。
【００２２】
封口板接続部３２は、外装缶接続部３１から半径方向に突出して封口板１２に接続される。図の封口板接続部３２は、封口板１２の凸部電極１３の挿入する貫通孔３３を設けている。この構造の封口板接続部３２は、貫通孔３３に凸部電極１３を挿入して、リード板３０を定位置に配置できる。このため、封口板接続部３２を封口板１２の定位置に正確に連結できる特徴がある。凸部電極１３の周囲に配設される封口板接続部３２は、溶接して封口板１２に電気接続され、あるいは第２絶縁プレート２２に押圧されて封口板１２に電気接続される。ただし、封口板接続部は、凸部電極に溶接して接続することもできる。
【００２３】
封口板接続部３２は、封口板１２に接続する先端部３２Ａと、外装缶接続部３１に連結している中間部３２Ｂとを段差ができるように折曲加工している。封口板接続部３２は、中間部３２Ｂを先端部３２Ａよりも上方に位置させるように折曲加工している。図１２と図１４のリード板３０は、先端部３２Ａを封口板１２に連結する状態で、中間部３２Ｂがカシメ凸条１４に接触しないようにしている。これ等のリード板３０は、外装缶接続部３１に切除部３４を設けて、この切除部３４に封口板接続部３２を配設する。この構造によると、封口板接続部３２が外装缶接続部３１に接触することがないので、全高を低くできる。図１１と図１３のリード板３０は、先端部３２Ａを封口板１２に連結する状態で、中間部３２Ｂがカシメ凸条１４に連結している外装缶接続部３１に接触しないようにしている。この構造のリード板３０の中間部３２Ｂは、外装缶接続部３１を非接触状態で跨ぐように配設されるので、封口板接続部３２を特定位置に設けている切除部に配設する必要がない。このため、リード板３０で接続する二次電池１０の配列に制限がなく、非直線状に配列する二次電池１０を直列に接続することができる。
【００２４】
中間部３２Ｂの下面には、プラスチックや紙等の絶縁材４０を配設している。プラスチック製の絶縁材４０は、中間部３２Ｂあるいは外装缶接続部３１に嵌着してリード板３０に連結している。中間部３２Ｂに嵌着する絶縁材４０は、中間部３２Ｂの下面及び段差部３２Ｃの外側面に位置して配設されて、中間部３２Ｂや段差部３２Ｃが外装缶接続部３１やカシメ凸条１４に接触するのを防止する。ここに絶縁材４０を配設する構造は、中間部３２Ｂや段差部３２Ｃがカシメ凸条１４や外装缶接続部３１に接触してショートするのを確実に阻止できる。さらに、外装缶接続部に嵌着する絶縁材は、図示しないが、リング状または一部が切除されたリング状の絶縁キャップとして外装缶接続部の一部ないし全体の表面を被覆することができる。絶縁キャップである絶縁材は、外装缶接続部が溶着された二次電池の上部に装着されて、中間部や段差部が外装缶接続部やカシメ凸条に接触してショートするのを阻止する。
【００２５】
ホルダーケース２０は、外装缶１１の下に配設されて二次電池１０を上に載せている第１絶縁プレート２１と、封口板１２の上に配設されて二次電池１０を上端から挟着している第２絶縁プレート２２と、第１絶縁プレート２１と第２絶縁プレート２２が二次電池１０を挟着する状態に連結する連結具２３とを備える。このホルダーケース２０は、連結具２３で第１絶縁プレート２１と第２絶縁プレート２２を連結して、複数の二次電池１０を第１絶縁プレート２１と第２絶縁プレート２２の間に上下方向に挟着して配設する。
【００２６】
第１絶縁プレート２１はプラスチック製で、その上面には、二次電池１０を定位置に嵌着して配置する嵌着凹凸２４を一体的に成形して設けている。図２ないし図７の第１絶縁プレート２１は、二次電池１０の周囲に凸部２４Ａを設けて、この凸部２４Ａの内側に二次電池１０を配設して、二次電池１０を定位置に配置する。
【００２７】
第２絶縁プレート２２もプラスチック製で、その下面には、二次電池１０を嵌着して、定位置に配置する嵌着凹凸２５を一体的に成形して設けている。第２絶縁プレート２２の嵌着凹凸２５は、リード板３０を二次電池１０の上面に押圧する。とくに、リード板３０の封口板接続部３２の先端部３２Ａを封口板１２の上面に押圧する。二次電池１０は、その上端に、ふたつのリード板３０を接続している。一方のリード板３０は、外装缶接続部３１を外装缶１１の外側に、他方のリード板３０は、封口板接続部３２の先端部３２Ａを封口板１２の凸部電極１３又はその周囲に連結している。第２絶縁プレート２２の嵌着凹凸２５は、ふたつのリード板３０を互いに絶縁するために、外装缶接続部３１と封口板接続部３２との間に侵入される絶縁凸部２５Ａを設けている。この絶縁凸部２５Ａは、封口板接続部３２と外装缶接続部３１との間の隙間に嵌入されて、ふたつのリード板３０を絶縁し、さらに、二次電池１０の位置ずれを阻止して、二次電池１０を定位置に配置する。また、第２絶縁プレート２２の嵌着凹凸２５は、図６に示すように、隣接する二次電池１０の間に嵌入される突出部２５Ｂを設け、この突出部２５Ｂで二次電池１０を定位置に配置することもできる。第２絶縁プレート２２の嵌着凹凸２５は、一対のリード板３０を固定している二次電池１０の上端に嵌着される形状に成形され、さらに、二次電池１０の間に嵌入される突出部２５Ｂのある形状に成形される。ただし、二次電池１０の上端面に嵌着される嵌着凹凸２５は、封口板１２の安全弁から排出される流体通路（図示せず）を設けている。
【００２８】
図の電源装置は、ホルダーケース２０の第１絶縁プレート２１と第２絶縁プレート２２を板状に成形している。この構造のホルダーケース２０は、第１絶縁プレート２１と第２絶縁プレート２２の間に送風して、二次電池１０を効率よく冷却できる。ただ、ホルダーケースは、図示しないが、第１絶縁プレートと第２絶縁プレートに周壁を成形している箱形とすることもできる。このホルダーケースは、二次電池を閉鎖された内部に収納できる。このホルダーケースは、送風開口を設けて、内部に強制送風して二次電池を冷却する。
【００２９】
連結具２３は、第１絶縁プレート２１と第２絶縁プレート２２が二次電池１０を上下から挟着する状態で、第１絶縁プレート２１と第２絶縁プレート２２を連結する。図の電源装置は、連結具２３をネジ２３Ａとナット２３Ｂとしている。この連結具２３は、ネジ２３Ａを第１絶縁プレート２１と第２絶縁プレート２２の貫通孔（図示せず）に挿通し、ネジ２３Ａにナット２３Ｂをねじ込んで第１絶縁プレート２１と第２絶縁プレート２２とを連結する。この連結具２３は、ナット２３Ｂのねじ込み量を調整して、第１絶縁プレート２１と第２絶縁プレート２２とが二次電池１０を上下で挟着する押圧力を調整できる。ただし、本発明の電源装置は、連結具をネジとナットには特定しない。例えば、連結具を爪の嵌め込み構造とする等、第１絶縁プレートと第２絶縁プレートを二次電池を挟着する状態で連結できる全てのものとすることができる。また、第１絶縁プレートや第２絶縁プレートは、強度を向上させるために金属板で補強して、プラスチックと金属板を二層に積層させた構造とすることができる。その場合、二次電池と接触する側の面をプラスチック層とすることによって、金属板と二次電池とを絶縁しながらプレートを補強することができる。また、金属板をプラスチックでラミネートさせた三層以上の構造とすることもできる。
【産業上の利用可能性】
【００３０】
本発明の電源装置は、好ましくは車両に搭載されて走行用のモーターに電力を供給する。この電源装置は、二次電池を垂直に立てる姿勢で車両に搭載され、安全弁が開弁するときに、電解液が排出されるのを防止する。
【図面の簡単な説明】
【００３１】
【図１】従来のバッテリーパックの一例を示す断面図である。
【図２】本発明の一実施例にかかる電源装置の垂直断面図である
【図３】図２に示す電源装置のＡ−Ａ線断面図である。
【図４】本発明の他の実施例にかかる電源装置の垂直断面図である
【図５】本発明の他の実施例にかかる電源装置の垂直断面図である
【図６】図５に示す電源装置のＡ−Ａ線断面図である。
【図７】本発明の他の実施例にかかる電源装置の垂直断面図である
【図８】複数の二次電池をホルダーケースに収納する一例を示す平面図である。
【図９】複数の二次電池をホルダーケースに収納する他の一例を示す平面図である。
【図１０】複数の二次電池をホルダーケースに収納する他の一例を示す平面図である。
【図１１】図２に示す電源装置のリード板の斜視図である。
【図１２】図４に示す電源装置のリード板の斜視図である。
【図１３】図５に示す電源装置のリード板の斜視図である。
【図１４】図７に示す電源装置のリード板の斜視図である。
【符号の説明】
【００３２】
１０…二次電池
１１…外装缶
１２…封口板
１３…凸部電極
１４…カシメ凸条
２０…ホルダーケース
２１…第１絶縁プレート
２２…第２絶縁プレート
２３…連結具              ２３Ａ…ネジ
２３Ｂ…ナット
２４…嵌着凹凸            ２４Ａ…凸部
２５…嵌着凹凸            ２５Ａ…絶縁凸部
２５Ｂ…突出部
３０…リード板
３１…外装缶接続部        ３１Ａ…鍔部
３２…封口板接続部        ３２Ａ…先端部
３２Ｂ…中間部
３２Ｃ…段差部
３３…貫通孔
３４…切除部
４０…絶縁材
【図１】
2006190611.tif 000003
【図２】
2006190611.tif 000004
【図３】
2006190611.tif 000005
【図４】
2006190611.tif 000006
【図５】
2006190611.tif 000007
【図６】
2006190611.tif 000008
【図７】
2006190611.tif 000009
【図８】
2006190611.tif 000010
【図９】
2006190611.tif 000011
【図１０】
2006190611.tif 000012
【図１１】
2006190611.tif 000013
【図１２】
2006190611.tif 000014
【図１３】
2006190611.tif 000015
【図１４】
2006190611.tif 000016